(57)【要約】      （修正有）【課題】歯間ブラシの傷んだブラシの交換やＩ型とＬ型の兼用が可能で、且つ非使用時や携帯時にはブラシを保護する機能を有する非使い捨て歯間ブラシとし、この事で環境負荷の軽減と、使用者の利便性を高める。【解決手段】ブラシ部位１と本体２、そしてキャップ３とで構成し、ブラシ部位１と本体２にはブラシ部位１の嵌脱及びその固定と解除、そしてブラシ部位１の装着方向の変更及びその固定と解除を自在とする機能を持たせ、且つ本体２にはブラシ部位１を格納する凹２ｅを設け、キャップ３にはこれらの機能がより確実に実行する機能を持たせる事で、環境負荷の軽減や使用者の利便性を高める。【選択図】図１
0003116961.tif 000002
【実用新案登録請求の範囲】
【請求項１】
ブラシ部位の交換を可能とする歯間ブラシに於いて、ブラシ部位の嵌脱、及びその固定と解除を自在とする機構。（図１）
【請求項２】
ブラシ部位と本体とで構成する歯間ブラシに於いて、ブラシ部位の装着方向を予め設定した状態内で、ブラシ部位の装着方向の変更を可能とする機構。（図２）（図３）
【請求項３】
ブラシ部位の装着方向が、予め設定した状態内で自在に変更可能な機構を持つ歯間ブラシに於いて、ブラシ部位を意図する方向に装着し、その固定と解除を自在とする機構。（図４）（図５）（図６）
【請求項４】
非使用時や携帯時に、ブラシ部位やキャップなどを本体から嵌脱する事なくブラシ部位を本体内に格納し、保護する機構。（図１２）
【考案の詳細な説明】
【技術分野】
【０００１】  本考案は、ブラシ部位の交換とブラシ部位の方向変更が可能な、ブラシ部位格納機能を持つ歯間ブラシに関するものである。
【背景分野】
【０００２】  毛を放射状に固定したブラシ（以後ブラシと云う）又はブラシの無毛部をブラシベースにインサート成形し、一体と成したもの（以後ブラシ部位と云う）を用いた従来型歯間ブラシには、大別して以下の（イ）、（ロ）、（ハ）、（ニ）の４種類がある。
（イ）は、持ち手となる本体軸部にブラシの無毛部がインサート成形され、ブラシと本体軸部が一体を成す使い捨て式で、詳しくはブラシと本体が一直線を成すもの（以後Ｉ型と云う）と屈折した状態を成すもの（以後Ｌ型と云う）及びブラシの根元を強制的に曲げてＩ型、Ｌ型を簡易に兼用させるものがある。又これらにはキャップが別に準備されているものと、そうでないものがある。（図１５）（図１６）（図１７）（図１８）
（ロ）はＬ型で、ブラシのみの挿脱が可能なブラシ交換式である。ただし、ブラシを保護するキャップ機能は有していない。（図１９）
（ハ）はＩ型で、筒状本体に貫入されたブラシ部位を使用時には前進させ、非使用時には後退させてブラシを本体に出入させるものである。（図２０）
（ニ）は、ブラシ部位と本体がつながった形体の、Ｉ型とＬ型を兼用する使い捨て式で、ブラシを保護するキャップ機能は有していない。（図２１）
【考案の開示】
【考案が解決しようとする課題】
【０００３】  本考案は、ブラシ又はブラシ部位を用いた従来型歯間ブラシの不足機能を総合的に補いうる歯間ブラシの提供を目的とするもので、具体的には、
（１）傷んだブラシ部位のみの交換を可能とする事で、使い捨てによる環境負荷を軽減し、且つ、消費者の経済的負担も軽減させる。
（２）ブラシ部位の方向を変更可能とする事で、Ｉ型とＬ型を兼用させる。
（３）非使用時や携帯時にブラシ又はブラシ部位を保護し、且つキャップを脱着する煩わしさの軽減とキャップの紛失防止など、使用者の利便性を高める。
【課題を解決するための手段】
【０００４】  本考案は、ブラシ部位と本体とキャップとで構成し、ブラシ部位の嵌脱、及びその固定と解除、そしてブラシ部位の装着方向の変更を自在とする機能を、ブラシ部位と本体のそれぞれに相反する形で設け、更に本体にはブラシ部位を格納する機能を持たせる。又、キャップにはブラシ部位を意図する状態に固定する機能とブラシ部位を保護する機能を持たせる。
【考案の効果】
【０００５】  本考案の効果は、（１）傷んだブラシ部位のみの交換が可能である。（２）Ｉ型とＬ型の兼用が可能である。（３）非使用時や携帯時に於けるブラシ部位の格納と保護が可能である。
【考案を実施するための最良の形態】
【０００６】  本体切り込み部内面に設けた回転軸用凸と、その周辺にブラシ部位の装着方向を固定する単数又は複数個の方向決め凸を設け、ブラシベースの両面にこれと相反し本体側に嵌合する回転軸用穴と方向決め凹を複数個又は単数設ける事で、ブラシ部位と本体との嵌脱やブラシ部位の装着方向の変更、及びその固定と解除を可能とする。又、非使用時や携帯時に於けるブラシ部位の保護は、格納スペースを持つ本体に予め外嵌したキャップの前後移動をもって行う。
【実施例】
【０００７】  以下、添付図面中の参照符号を用いて一実施例を説明する。
本体２切り込み部２ａへのブラシ部位１の嵌脱及びその固定と解除の自在性や、ブラシ部位１の装着方向変更の自在性は、本体２切り込み部２ａの樹脂弾性を利用して機能させ、意図する状態の固定や解除は、本体２に外嵌したキャップ３を前後させて行う。ブラシ部位１の意図する状態での固定はキャップ３を前方へ移動させ、解除は後方へ移動させる。（図１）（図２）（図３）【０００８】  Ｉ型状態にブラシ部位１を固定する場合は、（１）本体２に予め外嵌されたキャップ３を後方に移動させ、（２）ブラシ部位１のブラシベース後部１ｅ側を本体２切り込み部２ａに強制的に嵌入すれば、本体２切り込み部２ａが樹脂の弾性で外反し、ブラシ部位１の回転軸用穴１ｃと方向決め凹１ｄが本体２の回転軸用凸２ｃと方向決め凸２ｄに嵌り込み、Ｉ型の嵌合状態となる。この嵌合状態を確実に固定するには、（３）予め本体２に外嵌したキャップ３を、キャップ３の抜け止め凸３ｂが本体２の抜け止め凹２ｂに嵌合する位置まで前方に移動させる事で、ブラシ部位１のブラシベース後部１ｅがキャップ３の先端内面に嵌挿状態となり、ブラシ部位１がＩ型状態で固定される。（図４）【０００９】  Ｌ型状態にブラシ部位１を固定する場合も、その手順は前述したＩ型状態に固定する場合と同様である。違いはＩ型状態で固定する場合は、ブラシ部位１の本体２への嵌入後、ブラシ部位１の装着方向を本体２と一直線を成すように装着するが、Ｌ型状態で固定する場合はブラシ部位１の装着方向を本体２と屈折した状態を成すように装着する。（図５）【００１０】  本体２のブラシ部位格納部２ｅに格納されたブラシ部位１を意図する使用状態とするには、（１）キャップ３を後方に移動させ、（２）ブラシ部位１を回転させて意図する使用状態（Ｉ型又はＬ型又は格納状態）の方向にブラシ部位１を向ける。（３）キャップ３を抜け止め凸３ｂが本体２の抜け止め凹２ｂに嵌合する位置まで前方に移動する事で、ブラシ部位１は意図する使用状態で固定される。（図３）（図４）（図５）（図６）【００１１】  キャップ３の本体２への外嵌は、キャップ３の水平カット面３ｄを本体２の切り込み部２ａの方向から嵌入するが、これはブラシ部位１を本体２に嵌挿する前に行う。（図１４）【００１２】  本体２に外嵌したキャップ３がその機能を果たす位置で固定するには、キャップ３を前方に移動した状態の時はキャップ３の後部に設けられたＵ字型切り込み部３ａ内面に設けた抜け止め凸３ｂを、本体２の抜け止め凹２ｂに嵌合させ固定する。また固定解除は、キャップ３を強制的に後方へ移動させればキャップ３の抜け止め凸３ｂを有するＵ字型切り込み部３ａが樹脂の弾性で外反し、キャップ３の抜け止め凸３ｂが本体２の抜け止め凹２ｂから脱し、固定が解除する。（図４）（図１３）【００１３】  本体２に外嵌したキャップ３の横回転防止は、キャップ３後部内面に設けた２本の回転止めリブ３ｃを本体２に係合させ防止する。具体的には、キャップ３が前方に移動している場合は、キャップ３の２本の回転止めリブ３ｃが本体２のブラシ部位格納部２ｅ内壁に係合し、キャップ３が後方に移動している場合は、本体２後部の十字支柱２ｆを挟み込む様にして係合し、キャップ３の横回転が防止される。（図１０）（図１１）
【図面の簡単な説明】
【００１４】
【図１】本考案の一実施例を示す正面方向からの斜視図である。
【図２】図１の部分拡大図である。
【図３】本考案のブラシ部位の装着方向変更状態を示す部分拡大図である。
【図４】図７のＡーＡ線断面図である。
【図５】図７のＡーＡ線断面図のＬ型状態である。
【図６】図７のＡーＡ線断面図のブラシ部位格納状態である。
【図７】本考案の一実施例の正面図である。
【図８】図７のキャップの固定を解除した状態である。
【図９】本考案の一実施例の側面図である。
【図１０】図７のＢーＢ線断面図である。
【図１１】図８のＣーＣ線断面図である。
【図１２】本考案のブラシ部位をブラシ部位格納部に格納した状態の斜視図である。
【図１３】本考案のキャップの固定と解除を示す背面方向からの斜視図である。
【図１４】本考案のキャップを本体に外嵌する前の状態図である。
【図１５】従来型歯間ブラシ（イ）のＩ型である。
【図１６】従来型歯間ブラシ（イ）のＩ型、Ｌ型簡易兼用型である。
【図１７】図１６の形状違いである。
【図１８】従来型歯間ブラシ（イ）のＬ型である。
【図１９】従来型歯間ブラシ（ロ）である。
【図２０】従来型歯間ブラシ（ハ）である。
【図２１】従来型歯間ブラシ（ニ）である。
【符号の説明】
【００１５】１    ブラシ部位
１ａ  ブラシ
１ｂ  ブラシベース先端部
１ｃ  回転軸用穴
１ｄ  方向決め凹
１ｅ  ブラシベース後部
２    本体
２ａ  切り込み部
２ｂ  抜け止め凹
２ｃ  回転軸用凸
２ｄ  方向決め凸
２ｅ  ブラシ部位格納部
２ｆ  十字支柱
３    キャップ
３ａ  Ｕ字型切り込み部
３ｂ  抜け止め凸
３ｃ  回転止めリブ
３ｄ  水平カット面
【図１】
0003116961.tif 000003
【図２】
0003116961.tif 000004
【図３】
0003116961.tif 000005
【図４】
0003116961.tif 000006
【図５】
0003116961.tif 000007
【図６】
0003116961.tif 000008
【図７】
0003116961.tif 000009
【図８】
0003116961.tif 000010
【図９】
0003116961.tif 000011
【図１０】
0003116961.tif 000012
【図１１】
0003116961.tif 000013
【図１２】
0003116961.tif 000014
【図１３】
0003116961.tif 000015
【図１４】
0003116961.tif 000016
【図１５】
0003116961.tif 000017
【図１６】
0003116961.tif 000018
【図１７】
0003116961.tif 000019
【図１８】
0003116961.tif 000020
【図１９】
0003116961.tif 000021
【図２０】
0003116961.tif 000022
【図２１】
0003116961.tif 000023
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
細いワイヤー製ブラシ軸先端部にブラシ毛が固定されたブラシ部を用いて成る小型携帯ブラシに於いて、ブラシ部のブラシ軸基端部が樹脂で内包されたブラシ部位と、このブラシ部位を保持し格納も可能とする本体、及びこの本体に外嵌し、前後移動する機能を有するスライドキャップとの３部品で構成し、直線状態での使用にも屈曲状態での使用にも対応が可能で傷んだブラシ部位の交換や携帯時に於けるブラシ部の保護機能も有した歯間用ブラシ等小型ブラシを構成する機構。（図１）
【手続補正２】
【補正対象書類名】明細書
【補正対象項目名】全文
【補正方法】変更
【補正の内容】
【考案の詳細な説明】
【技術分野】
【０００１】  本考案は、歯間の掃除用ブラシやマスカラ用ブラシ、ケアー用ブラシ等に適用される小型の携帯ブラシに関するもので、Ｉ型とＬ型の兼用、ブラシ部位の交換機能、携帯時のブラシ部保護を可能とする機構に関するものである。
【背景分野】
【０００２】  ＳＵＳなどの極細ワイヤーでブラシ毛を挟み、これを軸芯周りにねじって形成したブラシ部を用いて形成する、例えば歯間用ブラシには、このブラシ部の軸基端部をインサート成形などの方法を用いて樹脂で内包し、この内包する樹脂部がブラシ保持具（本体）を兼ね、そのまま使用する方式の（イ）タイプと、ブラシ部のみを別途に形成されたブラシ保持具（本体）部に直接嵌脱させる方式の（ロ）タイプ、ブラシ部の軸基端部をインサート成形などの方法を用い樹脂でコンパクトに内包したブラシ部位と、それを保持する本体とに２分割した方式の（ハ）タイプとがある。
【０００３】  （イ）タイプはブラシ部とブラシ保持部（本体）がＩ型又はＬ型に一体成形されており（図２３）（図２６）、それにはブラシ部のワイヤー保持部の根元を強制的に屈伸させ、簡易的にＩ型とＬ型の兼用を可能にするもの（図２４）（図２５）と、ヒンジ機能を用いた独自の機構でＩ型とＬ型の切り換えを自在とするもの（図２７）とがあるが、いずれも使い捨て型で環境負荷への配慮が十分では無い。また、後者は携帯時に於けるブラシ部保護への配慮も有していない。（ロ）タイプはブラシ部のみの交換が自在で、環境負荷は少であるが、携帯時などにブラシ部を保護する機能は有さず、またブラシ部が直線状（以後Ｉ型と云う）と屈曲状（以後Ｌ型と云う）に自在に可変する兼用型とはなっていない（図２８）（図２９）（ハ）タイプは鉛筆状の形体をした筒状本体に嵌入されたブラシ部位が、その先端部より出入して機能する機構のもので、ブラシ部位の交換もブラシ部の保護も問題はないが、ブラシ部位の出入が直線運動である為、Ｌ型への対応は不可となっている。（図３０）
【０００４】  前述した様に、Ｉ型とＬ型の兼用が自在なものは、ブラシ部が傷めば歯間ブラシ全体を捨ててしまう使い捨て型であり、ブラシ部の保護や交換に配慮したものはＩ型とＬ型の兼用への配慮が不十分であり、それぞれに一長一短である。
【考案の開示】
【考案が解決しようとする課題】
【０００５】  本考案は、背景技術で例示した従来型歯間ブラシの不十分部を補い、利便性を一層高めた歯間ブラシの提供を目的とするもので、具体的には（１）Ｉ型状態での使用にもＬ型状態での使用にも対応可能なＩ型、Ｌ型の兼用型とし、（２）ブラシ部分が傷んだ場合や交換の必要性が生じた場合、そのブラシ部位のみの交換が容易に行え、且つ、環境負荷も少なく、また（３）携帯時にはブラシ部分を保護する専用のキャップを用いずにブラシ部の保護を可能とする事である。
【課題を解決するための手段】
【０００６】  本考案は、ブラシ部位と、そのブラシ部位の嵌脱と装着方向の確定及びブラシ部位の格納機能を持つ本体と、ブラシ部位の固定と解放及びブラシ部を保護する機能を有するスライドキャップとで構成され、その組立て手順はスライドキャップを水平小口を持つ末端部から本体に外嵌させ、更に本体後方の十字形状支柱部までスライドキャップを移動させた後、ブラシ部位の後部平坦部を本体先端部の二股状を成すブラシ部位保持部に嵌入させる。【０００７】  Ｉ型とＬ型を兼用する為のブラシ部位の装着方向の変更やブラシ部位のみの交換は、ブラシ部位の後部平坦部両面に設けた凹と、本体先端部の二股状を成すブラシ部位保持部内面の双璧に設けた、相反する凸形態の機構をもってその機能を果たす。【０００８】  携帯時に於けるブラシ部位の保護は、本体に装着しているブラシ部位を本体のブラシ部位保持部に連なるＵ字型断面部（凹部）に、ブラシ部位と本体のブラシ部位保持部内面のそれぞれに設けた凹凸を軸に回転させて格納する。【０００９】  ブラシ部位の装着方向の固定及び本体に格納したブラシ部位の保護は、本体に予め外嵌し、本体後方の十字形状支柱部に移動させてあるスライドキャップを前方に移動させて、その目的機能を果たす。機能を果たすその機構については後述する実施例で説明する。
【考案の効果】
【００１０】  本考案の効果は、（１）ブラシ部位の装着方向の変更が自在となる事で、Ｉ型用とＬ型用が１本で兼用可能となり、前歯の歯間も奥歯の歯間もその手入れが一種類の歯間ブラシのみで可能となる。（２）ブラシ部位が傷んだ場合もその他の理由でブラシ部位の修復の必要が生じた場合も、その修復は換えのブラシ部位の交換のみですむ為、経済的負担も少なく、又廃棄するパーツが小さいので環境負荷も軽減する。（３）ブラシ部位を本体内に格納し、更に本体に外嵌したスライドキャップの前方移動により保護する事で、ブラシ部の汚れや傷み等が大幅に軽減し、よって携帯がより容易になり外出先での口内手入れも容易となる。
【考案を実施するための最良の形態】
【００１１】  ブラシ部位の嵌脱及び装着方向の確定の機構は、ブラシ部位の平坦部両面に回転軸用凹又は穴と、装着方向確定用の単数又は複数個の凹を設け、本体先端部の二股状を成すブラシ部位保持部内面の双璧にはこれと相反する回転軸用凸と、ブラシ部位の装着方向を確定する単数又は複数個の凸を設け、これらを互いに嵌合させる事でブラシ部位の装着方向を確定させ、又そのブラシ部位の固定は、予め本体に外嵌したスライドキャップを本体の前方に移動し、固定の解除は後方に移動する事によって行う。又、携帯時に於けるブラシ部の保護は、本体先端部の二股状を成すブラシ部位保持部に連なるＵ字型断面部（凹部）に、ブラシ部位の回転軸用凹と本体先端部の二股状を成すブラシ部位保持部の回転軸用凸との嵌合を軸に回転して格納し、その後スライドキャップを前方に移動させこれをカバーし保護する。これらの機構の具体的作動についての詳細は以下の実施例の中で記述する。
【実施例】
【００１２】  以下、本考案の小型携帯ブラシの実施形態について、ここでは歯間の掃除用ブラシ（以後歯間ブラシと云う）を例に、添付図面中の参照符号を用いて説明する。【００１３】  本考案の歯間ブラシはブラシ部位１と本体２とスライドキャップ３で構成され、その組立手順は先ず本体２にスライドキャップ３を外嵌し、次にブラシ部位１を本体２に嵌入する事で完了する。（図２）（図３）その機構の詳細は以下に順を追って記述する。【００１４】  組立手順は、スライドキャップ３の末端水平小口部３ｄ側を本体２先端部の二股状を成すブラシ部位保持部２ａ（以後本体２ブラシ部位保持部２ａと云う）と向き合わせ（図２）、本体２に外嵌したスライドキャップ３が本体２を軸に回転する事を防止する為に、スライドキャップ３の内面に平行して設けた２本の横回転防止ガイド３ｃ１と３ｃ２を本体２のＵ字型断面部２ｅに係合させながら、スライドキャップ３を本体２に外嵌装着させる（図４）。同じくスライドキャップ３の内面に設けた凸状のストッパー３ｂが樹脂の弾性によって本体２のＵ字型断面の底面後部に設けたストッパー穴２ｂに嵌合し、スライドキャップ３は本体２に外嵌された状態で固定する（図５）（図６）。同時に本体２ブラシ部位保持部２ａの外形寸法はスライドキャップ３先端開口部３ａの内径によって押圧され、その広がりが阻止される。（図７）（図１７）【００１５】  ブラシ部位１の本体２への装着は、すでに本体２に外嵌されているスライドキャップ３を更に後方へ強制的に移動させ、スライドキャップ３先端開口部３ａの内径により本体２ブラシ部位保持部２ａが押圧されたいた状況を解除する。この時スライドキャップ３のストッパー３ｂは周囲に設けたＵ字型切り込み３ｅにより生じる樹脂の弾性で外反しながら本体２のストッパー穴２ｂを離脱し、本体２の後部十字形状支柱部２ｆの部分に於いてスライドキャップ３の固定が解放状態となる。またスライドキャップ３が本体２の後部十字形状支柱部２ｆに移動する事で、本体２ブラシ部位保持部２ａの弾性はスライドキャップ３先端開口部３ａの内径による押圧から解放され、ブラシ部位１の嵌入が可能となり、ブラシ部位１の本体２への装着方向の確定も可能となる。（図８）（図９）【００１６】  ブラシ部位１の本体２への嵌脱手順は、ブラシ部位１の平坦部両面に設けた回転軸用凹部１ｃ及びプラス形状の凹部１ｄが本体２ブラシ部位保持部２ａの内面双璧に設けた回転軸用凸２ｃ及びマイナス形状の凸２ｄとが互いに嵌合する様に、ブラシ部位１の１ｅ部側を本体２の２ａの方向から強制的に嵌入する。この事で本体２ブラシ部位保持部２ａの部分がブラシ部位１の１ｅ部によって押し広げられ、嵌入後は樹脂の弾性で元の状態に復元し、ブラシ部位１が本体２に嵌入し装着された状態となる（図１０）（図１１）（図１２）ブラシ部位１を本体２から分離させる場合は、ブラシ部位１の１ａ又は１ｂ部を本体２から離反する方向に強く牽引する事でブラシ部位１は本体２より分離される。（図１３）【００１７】  ブラシ部位１の装着方向の確定に於いて、本体２に嵌入されたブラシ部位１をＩ型で使用する状態とする場合は、ブラシ部位１と本体２とが一直線を成す様にその装着方向を整え確定し（図１４）、Ｌ型で使用する状態とする場合は、ブラシ部位１が本体２に対し、Ｌ字状態となる様にその方向を整え確定する（図１５）。その仕組みはブラシ部位１の平坦部両面と本体２ブラシ部位保持部２ａ内面双璧とのそれぞれに設けられたブラシ部位１の回転軸用凹１ｃ及びプラス形状の凹１ｄと、回転軸用凸２ｃ及びマイナス形状の凸２ｄとがブラシ部位１の装着方向を変更する度、又はブラシ部位１の嵌脱を繰返す度に離脱と嵌合を繰返し、その度に本体２ブラシ部位保持部２ａが樹脂の弾性による外反と復帰を繰返すが、この事によりブラシ部位１の本体２への装着方向の選択が自在となる。【００１８】  こうして装着方向が確定されたブラシ部位１をその状態のまま固定するには、本体２にすでに外嵌し、十字形状支柱部２ｆの部分に移動させているスライドキャップ３を、スライドキャップ３のストッパー３ｂと本体２のストッパー２ｂとが嵌合するところまで前方に移動させてスライドキャップ３を固定する事で、ブラシ部位１を固定する。その仕組みは、スライドキャップ３のストッパー３ｂが機能する位置では、スライドキャップ３の先端開口部３ａの内径寸法がブラシ部位１が嵌入された状態の本体２のブラシ部位保持部２ａの外形寸法より狭少な為、スライドキャップ３をストッパー３ｂが機能する位置まで強制的に移動させる事で、ブラシ部位１の平坦部両面に設けられた回転軸用凹１ｃ及びプラス形状の凹１ｄと、本体２のブラシ部位保持部２ａに設けられた回転軸用凸２ｃ及びマイナス形状の凸２ｄとが互いに嵌合状態で押圧され、ブラシ部位１が不動の状態となり固定が完了する（図１６）（図１７）（図１８）。固定の解除はスライドキャップ３を強く後方に押しやる事で解除する（図１９）。その仕組みは「００１５」の項で前述した通りである。【００１９】  本考案の歯間ブラシのブラシ部１ａを携帯時に保護する仕組みは、スライドキャップ３を強く後方に移動させる事で「００１５」、「００１６」で前述した通り、ブラシ部位１はスライドキャップ３先端開口部３ａの内径の押圧から解放され、その固定が解除され、装着方向の変更を可能な状態とする。次にブラシ部位１をブラシ部位１の回転軸用凹１ｃと本体２ブラシ部位保持部２ａの内面双璧に設けた回転軸用凸との嵌合を軸に回転させ、ブラシ部１ａ部を本体２のＵ字型断面部２ｅに格納する。格納したブラシ部１ａ部を保護する為、更にスライドキャップ３のストッパー３ｂが再び機能する前方の位置までスライドキャップ３を移動させる。（図１９）（図２０）（図２１）。スライドキャップ３のストッパー３ｂが機能する仕組みは「００１４」や「００１５」の項で前述した通りである。
【図面の簡単な説明】
【００２０】
【図１】本考案のブラシ部位装着を方向表す側面図である。
【図２】本考案の本体にスライドキャップを外嵌する状態の斜視図である。
【図３】本考案のスライドキャップが外嵌された本体に、ブラシ部位を嵌入する状態の斜視図である。
【図４】図７のＢ−Ｂ線断面図である。
【図５】図７のＣ−Ｃ線の本体にスライドキャップを外嵌する状態の断面図である。
【図６】図７のＣ−Ｃ線断面図である。
【図７】本考案の本体にスライドキャップを外嵌した状態の正面図である。
【図８】図７のＣ−Ｃ線の本体にスライドキャップを外嵌した状態の断面図である。
【図９】図７のスライドキャップを後部へ移動した状態図である。
【図１０】本考案のブラシ部位の斜視図である。
【図１１】本考案のブラシ部位保持部付近の斜視図である。
【図１２】図１のＡ−Ａ線断面の前方付近断面図である。
【図１３】図１２のブラシ部位をブラシ部位保持部から嵌脱した状態図である。
【図１４】図１９のＥ−Ｅ線断面の前方付近図である。
【図１５】図１４のブラシ部位をＬ型にした状態断面図の前方付近図である。
【図１６】図１８のＤ−Ｄ線断面図である。
【図１７】図１のＡ−Ａ線断面の前方付近図である。
【図１８】本考案のＩ型状態使用時の正面図である。
【図１９】図１８のスライドキャップを後方へ移動した状態の正面図である。
【図２０】本考案のＵ字型断面部にブラシ部位を格納した状態の斜視図である。
【図２１】図１８のＤ−Ｄ線方向からみた、Ｕ字型断面部にブラシ部位を格納した状態の断面図である。
【図２２】図１９を背面からみた斜視図である。
【図２３】従来型歯間ブラシ（イ）タイプである。
【図２４】従来型歯間ブラシ（イ）タイプである。
【図２５】従来型歯間ブラシ（イ）タイプである。
【図２６】従来型歯間ブラシ（イ）タイプである。
【図２７】従来型歯間ブラシ（イ）タイプである。
【図２８】従来型歯間ブラシ（ロ）タイプである。
【図２９】従来型歯間ブラシ（ロ）タイプである。
【図３０】従来型歯間ブラシ（ハ）タイプである。
【符号の説明】
【００２１】１      ブラシ部位１ａ    ブラシ部１ｂ    ブラシベース先端部１ｃ    回転軸用凹１ｄ    プラス形状の凹１ｅ    ブラシベース後部２      本体２ａ    ブラシ部位保持部２ｂ    ストッパー凹２ｃ    回転軸用凸２ｄ    マイナス形状の凸２ｅ    Ｕ字型断面部２ｆ    十字形状支柱部３      スライドキャップ３ａ    先端開口部３ｂ    ストッパー３ｃ１  横回転防止ガイド３ｃ２  横回転防止ガイド３ｄ    末端水平小口部３ｅ    Ｕ字型切り込み
【手続補正３】
【補正対象書類名】図面
【補正対象項目名】全図
【補正方法】変更
【補正の内容】
【図１】
0003116961.tif 000024
【図２】
0003116961.tif 000025
【図３】
0003116961.tif 000026
【図４】
0003116961.tif 000027
【図５】
0003116961.tif 000028
【図６】
0003116961.tif 000029
【図７】
0003116961.tif 000030
【図８】
0003116961.tif 000031
【図９】
0003116961.tif 000032
【図１０】
0003116961.tif 000033
【図１１】
0003116961.tif 000034
【図１２】
0003116961.tif 000035
【図１３】
0003116961.tif 000036
【図１４】
0003116961.tif 000037
【図１５】
0003116961.tif 000038
【図１６】
0003116961.tif 000039
【図１７】
0003116961.tif 000040
【図１８】
0003116961.tif 000041
【図１９】
0003116961.tif 000042
【図２０】
0003116961.tif 000043
【図２１】
0003116961.tif 000044
【図２２】
0003116961.tif 000045
【図２３】
0003116961.tif 000046
【図２４】
0003116961.tif 000047
【図２５】
0003116961.tif 000048
【図２６】
0003116961.tif 000049
【図２７】
0003116961.tif 000050
【図２８】
0003116961.tif 000051
【図２９】
0003116961.tif 000052
【図３０】
0003116961.tif 000053
【手続補正書】
【提出日】平成17年8月31日(2005.8.31)
【手続補正１】
【補正対象書類名】実用新案登録請求の範囲
【補正対象項目名】全文
【補正方法】変更
【補正の内容】
【実用新案登録請求の範囲】
【請求項１】
細いワイヤー製ブラシ軸先端部にブラシ毛が固定されたブラシ部を用いて成る小型携帯ブラシに於いて、ブラシ部のブラシ軸基端部が樹脂で内包されたブラシ部位と、このブラシ部位を保持し格納も可能とする本体、及びこの本体に外嵌し、前後移動する機能を有するスライドキャップとの３部品で構成し、直線状態での使用にも屈曲状態での使用にも対応が可能で傷んだブラシ部位の交換や携帯時に於けるブラシ部の保護機能も有した歯間用ブラシ等小型ブラシを構成する機構。
【手続補正２】
【補正対象書類名】明細書
【補正対象項目名】全文
【補正方法】変更
【補正の内容】
【考案の詳細な説明】
【技術分野】
【０００１】  本考案は、歯間の掃除用ブラシやマスカラ用ブラシ、ケアー用ブラシ等に適用される小型の携帯ブラシに関するもので、Ｉ型とＬ型の兼用、ブラシ部位の交換機能、携帯時のブラシ部保護を可能とする機構に関するものである。
【背景分野】
【０００２】  ＳＵＳなどの極細ワイヤーでブラシ毛を挟み、これを軸芯周りにねじって形成したブラシ部を用いて形成する、例えば歯間用ブラシには、このブラシ部の軸基端部をインサート成形などの方法を用いて樹脂で内包し、この内包する樹脂部がブラシ保持具（本体）を兼ね、そのまま使用する方式の（イ）タイプと、ブラシ部のみを別途に形成されたブラシ保持具（本体）部に直接嵌脱させる方式の（ロ）タイプ、ブラシ部の軸基端部をインサート成形などの方法を用い樹脂でコンパクトに内包したブラシ部位と、それを保持する本体とに２分割した方式の（ハ）タイプとがある。
【０００３】  （イ）タイプはブラシ部とブラシ保持部（本体）がＩ型又はＬ型に一体成形されており（図２３）（図２６）、それにはブラシ部のワイヤー保持部の根元を強制的に屈伸させ、簡易的にＩ型とＬ型の兼用を可能にするもの（図２４）（図２５）と、ヒンジ機能を用いた独自の機構でＩ型とＬ型の切り換えを自在とするもの（図２７）とがあるが、いずれも使い捨て型で環境負荷への配慮が十分では無い。また、（図２６）（図２７）のタイプは携帯時に於けるブラシ部位保護への機能も有していない。
（ロ）タイプはブラシ部のみの交換が自在で、環境負荷は少であるが、携帯時などにブラシ部を保護する機能は有さず、またブラシ部が直線状（以後Ｉ型と云う）と屈曲状（以後Ｌ型と云う）に自在に可変する兼用型とはなっていない（図２８）（図２９）。
（ハ）タイプは鉛筆状の形体をした筒状本体に嵌入されたブラシ部位が、その先端部より出入して機能する機構のもので、ブラシ部位の交換もブラシ部の保護も問題はないが、ブラシ部位の出入が直線運動である為、Ｌ型への対応は不可となっている（図３０）。
【０００４】  前述した様に、Ｉ型とＬ型の兼用が自在なものは、ブラシ部が傷めば歯間ブラシ全体を捨ててしまう使い捨て型であり、ブラシ部の保護や交換に配慮したものはＩ型とＬ型の兼用への配慮が不十分であり、それぞれに一長一短である。
【考案の開示】
【考案が解決しようとする課題】
【０００５】  本考案は、背景技術で例示した従来型歯間ブラシの不十分部を補い、利便性を一層高めた歯間ブラシの提供を目的とするもので、具体的には
（１）Ｉ型状態での使用にもＬ型状態での使用にも対応可能なＩ型、Ｌ型の兼用型とし、（２）ブラシ部分が傷んだ場合や交換の必要性が生じた場合、そのブラシ部位のみの交換が容易に行え、且つ、環境負荷も少なく、また（３）携帯時にはブラシ部分を保護する専用のキャップを用いずにブラシ部の保護を可能とする事である。
【課題を解決するための手段】
【０００６】  本考案は、ブラシ部位と、そのブラシ部位の嵌脱と装着方向の確定及びブラシ部位の格納機能を持つ本体と、ブラシ部位の固定と解放及びブラシ部を保護する機能を有するスライドキャップとで構成され、その組立て手順はスライドキャップを水平小口を持つ末端部から本体に外嵌させ、更に本体後方の十字形状支柱部までスライドキャップを移動させた後、ブラシ部位の後部平坦部を本体先端部の二股状を成すブラシ部位保持部に嵌入させる。【０００７】  Ｉ型とＬ型を兼用する為のブラシ部位の装着方向の変更やブラシ部位のみの交換は、ブラシ部位の後部平坦部両面に設けた凹と、本体先端部の二股状を成すブラシ部位保持部内面の双璧に設けた、相反する凸形態の機構をもってその機能を果たす。【０００８】  携帯時に於けるブラシ部位の保護は、本体に装着しているブラシ部位を本体のブラシ部位保持部に連なるＵ字型断面部（凹部）に、ブラシ部位と本体のブラシ部位保持部内面のそれぞれに設けた凹凸を軸に回転させて格納する。【０００９】  ブラシ部位の装着方向の固定及び本体に格納したブラシ部位の保護は、本体に予め外嵌し、本体後方の十字形状支柱部に移動させてあるスライドキャップを前方に移動させて、その目的機能を果たす。機能を果たすその機構については後述する実施例で説明する。
【考案の効果】
【００１０】  本考案の効果は、（１）ブラシ部位の装着方向の変更が自在となる事で、Ｉ型用とＬ型用が１本で兼用可能となり、前歯の歯間も奥歯の歯間もその手入れが一種類の歯間ブラシのみで可能となる。（２）ブラシ部位が傷んだ場合やその他の理由でブラシ部位を修復する必要が生じた場合、その修復はブラシ部位の交換のみですむ為、全体を交換するよりは消費者の経済的負担や廃棄時の環境負荷が軽減する。（３）ブラシ部位を本体内に格納し、更に本体に外嵌したスライドキャップの前方移動により保護する事で、ブラシ部の汚れや傷み等が大幅に軽減し、よって携帯がより容易になり外出先での口内手入れも容易となる。
【考案を実施するための最良の形態】
【００１１】  ブラシ部位の嵌脱及び装着方向の確定の機構は、ブラシ部位の平坦部両面に回転軸用凹又は穴と、装着方向確定用の単数又は複数個の凹を設け、本体先端部の二股状を成すブラシ部位保持部内面の双璧にはこれと相反する回転軸用凸と、ブラシ部位の装着方向を確定する単数又は複数個の凸を設け、これらを互いに嵌合させる事でブラシ部位の装着方向を確定させ、又そのブラシ部位の固定は、予め本体に外嵌したスライドキャップを本体の前方に移動し、固定の解除は後方に移動する事によって行う。又、携帯時に於けるブラシ部の保護は、本体先端部の二股状を成すブラシ部位保持部に連なるＵ字型断面部（凹部）に、ブラシ部位の回転軸用凹と本体先端部の二股状を成すブラシ部位保持部の回転軸用凸との嵌合を軸に回転して格納し、その後スライドキャップを前方に移動させこれをカバーし保護する。これらの機構の具体的作動についての詳細は以下の実施例の中で記述する。
【実施例】
【００１２】  以下、本考案の小型携帯ブラシの実施形態について、ここでは歯間の掃除用ブラシ（以後歯間ブラシと云う）を例に、添付図面中の参照符号を用いて説明する。【００１３】  本考案の歯間ブラシはブラシ部位１と本体２とスライドキャップ３で構成され、その組立手順は先ず本体２にスライドキャップ３を外嵌し、次にブラシ部位１を本体２に嵌入する事で完了する（図２）（図３）。その機構の詳細は以下に順を追って記述する。【００１４】  組立手順は、スライドキャップ３の末端水平小口部３ｄ側を本体２先端部の二股状を成すブラシ部位保持部２ａ（以後本体２ブラシ部位保持部２ａと云う）と向き合わせ（図２）、本体２に外嵌したスライドキャップ３が本体２を軸に回転する事を防止する為に、スライドキャップ３の内面に平行して設けた２本の横回転防止ガイド３ｃ１と３ｃ２を本体２のＵ字型断面部２ｅに係合させながら、スライドキャップ３を本体２に外嵌装着させる（図４）。同じくスライドキャップ３の内面に設けた凸状のストッパー３ｂが樹脂の弾性によって本体２のＵ字型断面の底面後部に設けたストッパー穴２ｂに嵌合し、スライドキャップ３は本体２に外嵌された状態で固定する（図５）（図６）。同時に本体２ブラシ部位保持部２ａの外形寸法はスライドキャップ３先端開口部３ａの内径によって押圧され、その広がりが阻止される（図７）（図１７）。【００１５】  ブラシ部位１の本体２への装着は、すでに本体２に外嵌されているスライドキャップ３を更に後方へ強制的に移動させ、本体２ブラシ部位保持部２ａがスライドキャップ３先端開口部３ａの内径により押圧されていた状況を解除する。この時スライドキャップ３のストッパー３ｂは周囲に設けたＵ字型切り込み３ｅにより生じる樹脂の弾性で外反しながら本体２のストッパー穴２ｂを離脱し、本体２の後部十字形状支柱部２ｆの部分に於いてスライドキャップ３の固定が解放状態となる。またスライドキャップ３が本体２の後部十字形状支柱部２ｆに移動する事で、本体２ブラシ部位保持部２ａの弾性はスライドキャップ３先端開口部３ａの内径による押圧から解放され、ブラシ部位１の嵌入が可能となり、ブラシ部位１の本体２への装着方向の確定も可能となる（図８）（図９）。【００１６】  ブラシ部位１の本体２への嵌脱手順は、ブラシ部位１の平坦部両面に設けた回転軸用凹部１ｃ及びプラス形状の凹部１ｄが本体２ブラシ部位保持部２ａの内面双璧に設けた回転軸用凸２ｃ及びマイナス形状の凸２ｄとが互いに嵌合する様に、ブラシ部位１の１ｅ部側を本体２の２ａの方向から強制的に嵌入する。この事で本体２ブラシ部位保持部２ａの部分がブラシ部位１の１ｅ部によって押し広げられ、嵌入後は樹脂の弾性で元の状態に復元し、ブラシ部位１が本体２に嵌入し装着された状態となる（図１０）（図１１）（図１２）ブラシ部位１を本体２から分離させる場合は、ブラシ部位１の１ａ又は１ｂ部を本体２から離反する方向に強く牽引する事でブラシ部位１は本体２より分離される（図１３）。【００１７】  ブラシ部位１の装着方向の確定に於いて、本体２に嵌入されたブラシ部位１をＩ型で使用する状態とする場合は、ブラシ部位１と本体２とが一直線を成す様にその装着方向を整え確定し（図１４）、Ｌ型で使用する状態とする場合は、ブラシ部位１が本体２に対し、Ｌ字状態となる様にその方向を整え確定する（図１５）。その仕組みはブラシ部位１の平坦部両面と本体２ブラシ部位保持部２ａ内面双璧とのそれぞれに設けられたブラシ部位１の回転軸用凹１ｃ及びプラス形状の凹１ｄと、回転軸用凸２ｃ及びマイナス形状の凸２ｄとがブラシ部位１の装着方向を変更する度、又はブラシ部位１の嵌脱を繰返す度に離脱と嵌合を繰返し、その度に本体２ブラシ部位保持部２ａが樹脂の弾性による外反と復帰を繰返すが、この事によりブラシ部位１の本体２への装着方向の選択が自在となる。【００１８】  こうして自在に装着方向が確定されたブラシ部位１をその状態のまま固定するには、本体２にすでに外嵌し、十字形状支柱部２ｆの部分に移動させているスライドキャップ３を、スライドキャップ３のストッパー３ｂと本体２のストッパー２ｂとが嵌合するところまで前方に移動させてスライドキャップ３を固定する事で、ブラシ部位１を固定する。その仕組みは、スライドキャップ３のストッパー３ｂが機能する位置では、スライドキャップ３の先端開口部３ａの内径寸法がブラシ部位１が嵌入された状態の本体２のブラシ部位保持部２ａの外形寸法より狭少な為、スライドキャップ３をストッパー３ｂが機能する位置まで強制的に移動させる事で、ブラシ部位１の平坦部両面に設けられた回転軸用凹１ｃ及びプラス形状の凹１ｄと、本体２のブラシ部位保持部２ａに設けられた回転軸用凸２ｃ及びマイナス形状の凸２ｄとが互いに嵌合状態で押圧され、ブラシ部位１が不動の状態となり固定が完了する（図１６）（図１７）（図１８）。固定の解除はスライドキャップ３を強く後方に押しやる事で解除する（図１９）。その仕組みは「００１５」の項で前述した通りである。【００１９】  本考案の歯間ブラシのブラシ部１ａを携帯時に保護する仕組みは、スライドキャップ３を強く後方に移動させる事で「００１５」、「００１６」で前述した通り、ブラシ部位１はスライドキャップ３先端開口部３ａの内径の押圧から解放され、その固定が解除され、装着方向の変更を可能な状態とする。次にブラシ部位１をブラシ部位１の回転軸用凹１ｃと本体２ブラシ部位保持部２ａの内面双璧に設けた回転軸用凸との嵌合を軸に回転させ、ブラシ部１ａ部を本体２のＵ字型断面部２ｅに格納する。格納したブラシ部１ａ部を保護する為、更にスライドキャップ３のストッパー３ｂが再び機能する前方の位置までスライドキャップ３を移動させる。（図１９）（図２０）（図２１）。スライドキャップ３のストッパー３ｂが機能する仕組みは「００１４」や「００１５」の項で前述した通りである。
【図面の簡単な説明】
【００２０】
【図１】本考案のブラシ部位を装着固定した状況と方向表す側面図である。
【図２】本考案の本体にスライドキャップを外嵌する状態の斜視図である。
【図３】本考案のスライドキャップが外嵌された本体に、ブラシ部位を嵌入する状態の斜視図である。
【図４】図７のＢーＢ線断面図である。
【図５】図７のＣーＣ線の本体にスライドキャップを外嵌する前の状態の断面図である。
【図６】図７のＣーＣ線断面図である。
【図７】本考案の本体にスライドキャップを外嵌した状態の正面図である。
【図８】図７のＣーＣ線の本体にスライドキャップを外嵌し、本体の後部に移動した状態の断面図である。
【図９】図７のスライドキャップを後部へ移動した状態の正面図である。
【図１０】本考案のブラシ部位の斜視図である。
【図１１】本考案の本体に於けるブラシ部位保持部付近の斜視図である。
【図１２】図１のＡーＡ線断面の前方部（ブラシ部位保持部）付近の断面図である。
【図１３】図１２のブラシ部位を、本体のブラシ部位保持部から嵌脱した状態図である。
【図１４】図１９のＥーＥ線断面の前方部（ブラシ部位保持部）付近図である。
【図１５】図１４のブラシ部位をＬ型にした状態断面図の前方部（ブラシ部位保持部）付近図である。
【図１６】図１８のＤーＤ線断面図である。
【図１７】図１のＡーＡ線断面の前方部（ブラシ部位保持部）付近図である。
【図１８】本考案のＩ型状態使用時の正面図である。
【図１９】図１８のスライドキャップを後方へ移動した状態の正面図である。
【図２０】本考案のＵ字型断面部にブラシ部位を格納した状態の斜視図である。
【図２１】図１８のＤーＤ線方向からみた、Ｕ字型断面部にブラシ部位を格納した状態の断面図である。
【図２２】図１９を背面からみた斜視図である。
【図２３】従来型歯間ブラシ（イ）タイプである。
【図２４】従来型歯間ブラシ（イ）タイプである。
【図２５】従来型歯間ブラシ（イ）タイプである。
【図２６】従来型歯間ブラシ（イ）タイプである。
【図２７】従来型歯間ブラシ（イ）タイプである。
【図２８】従来型歯間ブラシ（ロ）タイプである。
【図２９】従来型歯間ブラシ（ロ）タイプである。
【図３０】従来型歯間ブラシ（ハ）タイプである。
【符号の説明】
【００２１】１      ブラシ部位
１ａ    ブラシ部
１ｂ    ブラシベース先端部
１ｃ    回転軸用凹
１ｄ    プラス形状の凹
１ｅ    ブラシベース後部
２      本体
２ａ    ブラシ部位保持部
２ｂ    ストッパー凹
２ｃ    回転軸用凸
２ｄ    マイナス形状の凸
２ｅ    Ｕ字型断面部
２ｆ    十字形状支柱部
３      スライドキャップ
３ａ    先端開口部
３ｂ    ストッパー
３ｃ１  横回転防止ガイド
３ｃ２  横回転防止ガイド
３ｄ    末端水平小口部
３ｅ    Ｕ字型切り込み